Podtech/llm-jp-corpus-v4-ja_patent huggingface dataset:
(57)【要約】【課題】埋没歯や折れた歯根等、鉗子では掴みにくい歯牙を、振動させて、掴むことなく、効果的に抜歯することができ、更には、歯牙等を切削し、切削した歯骨粉を効果的にかき集め、かき出す（移動させる）ことのできる歯科治療具を提供する。【解決手段】歯科治療用チップ１０は、振動体１に着脱自在に連結され、該振動体１によって振動される。チップ１０の先端側１０ｄは、該チップの延長軸Ｐに直角の断面形状が、図１（Ｂ）に示すように、弧状である。チップ１０の先端１０ｄ’を歯と歯肉の間に入れ、弧状の両側部１０ｅ，１０ｅを歯２０に当て、該歯２０に振動を与えて歯を緩め、先端を歯に引っかけて歯を抜く、或いは、歯２０等を切削し、切削した骨粉をかき集め、かき出すのに使用する。【選択図】図１
2006304958.tif 000002
【特許請求の範囲】
【請求項１】
振動体に着脱自在に連結され、該振動体によって振動される歯科治療用チップであって、該チップの先端側は、該チップの延長軸に直角の断面形状が弧状であることを特徴とする歯科用チップ。
【請求項２】
前記チップは先端部において内側に向って傾斜していることを特徴とする請求項１に記載の歯科用チップ。
【請求項３】
前記チップは前記弧状の径が先端部側で徐々に小さくなって終端していることを特徴とする請求項１又は２に記載の歯科用チップ。
【発明の詳細な説明】
【技術分野】
【０００１】
本発明は、歯科用チップ、より詳細には、歯科治療において、歯の側面に差し込んで振動させ、埋没歯や折れた歯根を掘り起こして抜くのに使用して好適な歯科用チップに関する。
【背景技術】
【０００２】
歯科治療においては、しばしば抜歯を行うが、従来、この抜歯は、抜歯鉗子を用いて行われている。この抜歯鉗子は、歯を把握し、動揺させて、脱臼させ、次いで、牽引抜去するもので、前歯，小臼歯，大臼歯，残根用と、上顎，下顎，乳歯，永久歯用等々多種あるが、いずれも、歯を把持する嘴部と、手指および手掌で把握する把柄部と、さらに、両部を連結する関節部よりなるが、埋没歯や折れた歯根等は、把持しにくく、使い勝手が悪かった。
【発明の開示】
【発明が解決しようとする課題】
【０００３】
本発明は、上述のごとき実情に鑑みてなされたもので、特に、埋没歯や折れた歯根等、鉗子では掴みにくい歯牙を、振動させ、掴むことなく、効果的に抜歯することができ、更には、歯牙等骨の表面を削り、削った骨片をかき集め、所望の箇所へ移動させるのに好適な歯科治療具を提供することを目的としてなされたものである。
【課題を解決するための手段】
【０００４】
請求項１の発明は、振動体に着脱自在に連結され、該振動体によって振動される歯科治療用チップであって、該チップの先端側は、該チップの延長軸に直角の断面形状が弧状であることを特徴としたものである。
【０００５】
請求項２の発明は、請求項１の発明において、前記チップは先端部において内側に向って傾斜していることを特徴としたものである。
【０００６】
請求項３の発明は、請求項１又は２の発明において、前記チップは前記弧状の径が先端部側で徐々に小さくなって終端していることを特徴としたものである。
【発明の効果】
【０００７】
本発明によると、振動体に着脱自在に連結され、該振動体によって振動される歯科治療用チップであって、該チップの先端側は、該チップの延長軸に直角の断面形状が弧状で、この弧状の両側部より歯に効果的に振動を与えることができるので、歯を掴むことなく抜歯することができ、特に、埋没歯や折れた歯根等、従来の鉗子では掴むことが困難な歯牙を容易に抜歯することができ、更には、歯牙等骨の表面を削り、削った骨片をかき集め、所望の箇所へ移動させるのに好適な歯科治療具を提供することを目的としてなされたものである。
【発明を実施するための最良の形態】
【０００８】
図１は、本発明による歯科用チップの一実施例を説明するための分解斜視図で、図中、１は振動子（例えば、超音波振動子、エアー振動子、モータ振動子等、周知の任意所望の振動子）で、該振動子１の先端部には雌ねじ１ａが形成されており、この雌ねじ１ａに、本発明による歯科用チップ１０の雄ねじ部１０ａが着脱自在に連結されるようになっている。１０ｂは、チップ１０を振動子１に螺着する時に用いるレンチを係合させるレンチ係合部で、該レンチ係合部１０ｂにレンチを係合させ、該レンチにてチップ１０を回転して該チップ１０のねじ部１０ａを振動子１のねじ部１ａに締め付けて固定する。
【０００９】
本発明によるチップ１０は、上述のように、振動子１に連結されて使用されるものであるが、振動伝達部１０ｃは、その先端側１０ｄにおいて、図１（Ｂ）（図１（Ａ）のＢ−Ｂ断面図）に示すように、軸心（延長方向）Ｐに直角の断面が弧状に形成されており、この弧状の両側部１０ｅが歯牙等の骨２０に当接するようになっており、この両側部１０ｅにおいて、歯牙を動揺させ、或いは、骨を切削する。また、先端部１０ｄ’は、好ましくは、図１（Ａ）に破線にて示すように、内側に向って丸みをもって湾曲しており、歯を抜くときに、この先端部１０ｄ’を歯に引っかけて抜くことにより、より効果的に抜歯することができ、或いは、歯牙を切削し、切削した骨片をかき集め、移動させるのに効果的に使用することができる。
【００１０】
図２は、図１に示したチップ１０の弧状部１０ｄを斜め下から見た図で、この弧状部１０ｄの最先端１０ｆは、図２（Ｂ）に示すように、両側部１０ｅ，１０ｅを平行に保ったままの状態で外面側にＲ（丸み）を持たせて終端してもよいが、図２（Ｃ）に示すように、弧状が徐々に小さくなるように、つまり、先端１０ｆが丸みをもって尖出して終端するようにしてもよく、このようにすると、先端部を歯と歯肉の間に入れやすく、また、切削した骨粉をかき集めやすくなる。
【００１１】
図３は、本発明による歯科用チップの使用状態の一例を示す図で、図中、２０は歯、２１は歯肉、１０ｄは本発明によるチップ１０の先端側で、該チップ１０の先端１０ｄ’は丸みをもって歯２０側に湾曲されており（図１（Ａ）の破線）参照、これによって、歯２０と歯肉２１の間に効果的に挿入することができ、更には、先端部の弧状の径を徐々に小さくして終端するようにしておくと（図２（Ｃ）の１０ｆ）、中央部の尖ったところから徐々に挿入することができるので、より効果に、歯２０に沿って挿入することができ、また、埋没した歯や折れた歯根を掘り起こして抜くのに効果的である。更には、両側部及び先端部にて歯牙を切削し、切削した歯骨粉をかき集め、上方にかき出すのに使用して好適である。
【図面の簡単な説明】
【００１２】
【図１】本発明による歯科用チップの一実施例を説明するための要部分割斜視図である。
【図２】本発明による歯科用チップを斜め下から見た時の図である。
【図３】本発明による歯科用チップの使用状態の一例を示す図である。
【符号の説明】
【００１３】
１…振動子、１ａ…雌ねじ、１０…歯科用チップ、１０ａ…雄ねじ部、１０ｂ…レンチ係合部、１０ｃ…振動伝達部、１０ｄ…弧状部、１０ｄ’…弧状部先端部、１０ｅ…弧状部側部、１０ｆ…チップ先端、２０…歯、２１…歯肉。
【図１】
2006304958.tif 000003
【図２】
2006304958.tif 000004
【図３】
2006304958.tif 000005
(57)【要約】【課題】歯科用振動チップの先端部をラッパ状に広げ、その先端周辺部に振動を集中させ、骨と粘膜との剥離をより効果的に行うことができるようにする。【解決手段】歯科用振動チップ１０は振動体１にねじ部１ａ，１０ａにて着脱自在に装着され、該振動体１によって振動される。該歯科用振動チップ１０は、その先端部１０ｄがラッパ状に広がっており、その先端周辺部１０ｆに振動が効果的に集中される。この先端部１０ｄを骨と粘膜との間に挿入して振動させることによって、骨と粘膜とを剥離する。【選択図】図１
2006304957.tif 000002
【特許請求の範囲】
【請求項１】
振動体に着脱自在に装着され、該振動体によって振動される歯科用チップであって、該チップはその先端部がラッパ状に広がっていることを特徴とする歯科用チップ。
【発明の詳細な説明】
【技術分野】
【０００１】
本発明は、歯科用チップ、より詳細には、ソケットリフト法による歯科治療において、骨と粘膜の間にチップの先端を挿入して該骨と粘膜を剥離するのに使用して好適なチップに関する。
【背景技術】
【０００２】
歯科治療において、最近では、自分の歯に近い感覚で噛むことのできる人工義歯インプラントが行われているが、インプラントを埋入する骨の高さが充分にない場合に、ソケットリフト法により、上顎洞を挙上することが行われている。こうした新たな技法により、一昔前まではインプラントのできない体質や状態の人でも、今では、インプラント治療が可能になっている。
【０００３】
インプラントができない最大の要因は、インプラントの土台となる骨の量が少ないケースで、歯の下にある骨の残存量と質がインプラント可否の大きな要素となる。例えば、上顎の奥歯にインプラントを入れる場合、骨の中に上顎洞という空洞があるが、その骨の量、特に、骨の高さが必要となる。ところが、歯周病等によって歯を欠損すると、多くの場合、骨量が減ってしまい、治療に必要な骨の高さが保てなくなる。
【０００４】
上述のように、治療に必要な骨の高さが足りない場合でも、事前に骨量を増やす治療を行えば、インプラント治療が可能になる。ソケットリフト法は、顎の骨をドリルでほとんど削ることなく、オステオトームという器具で、上顎洞の底の粘膜を持ち上げ、そこに、骨補填材を入れ、できたスペースにインプラントを入れるものである。
【発明の開示】
【発明が解決しようとする課題】
【０００５】
本発明は、上述のごとき歯科治療におけるソケットリフト法を実施するに際し、骨と粘膜の間に先端を挿入しながら前記骨と粘膜を剥離するのに使用して好適な振動チップを提供しようとするものである。
【課題を解決するための手段】
【０００６】
本発明は、振動体に着脱自在に装着され、該振動体によって振動される歯科用チップであって、該チップはその先端部がラッパ状に広がっていることを特徴としたものである。
【発明の効果】
【０００７】
本発明による歯科用チップは、その先端部がラッパ状に広がっているので、その先端周辺部に振動を集中させることができ、骨と粘膜との剥離をより効果的に行うことができる。
【発明を実施するための最良の形態】
【０００８】
図１は、本発明による歯科用チップの一例を説明するための図で、図１（Ａ）は全体構造を示す側面図、図１（Ｂ）は図１（Ａ）のＢ−Ｂ線断面図を示し、図中、１は振動体（超音波振動体，エアー振動体，モータ振動体等、周知の振動体）、１０は本発明によるチップで、１０ａ部は振動体１のねじ部１ａと螺合するためのねじ部、１０ｂはチップ１０を振動体１に螺着する時に用いるレンチを係合させるレンチ係合部で、該レンチ係合部１０ｂにレンチを係合させ、該レンチにてチップ１０を回転して該チップ１０のねじ部１０ａを振動体１のねじ部１ａに締め付けて固定する。
【０００９】
図１において、１０ｃは振動伝達部で、該振動伝達部１０ｃの先端部１０ｄは、振動体１が駆動された時に、紙面に対して平行に（矢印方向に）振動する。先端部１０ｄは、図１（Ｂ）に断面図で示すように、ラッパ状の凹部１０ｅに形成され、この凹部１０ｅのエッジ部１０ｆに振動体１から伝達されてくる振動が集中されるようになっている。
なお、図１には、先端部１０ｄを円形にした例を示したが、円形に限らず、楕円、その他、任意所望の形状にして中心部に凹部を設けるようにしてもよい。
【００１０】
図２は、歯科治療におけるソケットリフト法の一例を説明するための要部構成図で、図２（Ａ）に示すように、骨２０に穴２０ａを開け、粘膜２１を露出させ、図２（Ｂ）に示すように、この骨２０と粘膜２１の間に、穴２０ａを通してチップ１０の先端部１０ｄを挿入し、図２（Ｃ）に示すように、振動チップ１０を矢印方向に振動させ、その先端部１０ｄのエッジ部１０ｆを振動させて、骨２０と粘膜２１とを剥離する。
【図面の簡単な説明】
【００１１】
【図１】本発明による歯科用チップの一実施例を説明するための図である。
【図２】本発明による歯科用チップを用いて骨と粘膜とを剥離する例を説明するための図である。
【符号の説明】
【００１２】
１…振動体、１ａ…雌ねじ部、１０…歯科用チップ、１０ａ…雄ねじ部、１０ｂ…レンチ係合部、１０ｃ…振動伝達部、１０ｄ…チップ先端部、１０ｅ…ラッパ状の凹部、１０ｆ…エッジ部。
【図１】
2006304957.tif 000003
【図２】
2006304957.tif 000004
(57)【要約】【課題】  従来の波動式発電は、規模が大型で費用もかかり一般的な方策とは言いがたい面がある。太陽光を利用したソーラー式発電も存在しているが、天候に大きく左右される。そこで、比較的簡単な方式で、小型、安価、メンテナンスフリーで自然環境汚染の要因が極めて低く、多方面に普及する発電装置を開発することが本発明の課題である。【解決手段】  起き上がり小法師の形状をした筐体内に、バッテリー等の電気の動力を必要としない波動により作動する振り子を設け、その動きで数多く配列されたマグネット板を左右に回転させ、固定された一対のコイルを介して発電する。その後、昇圧して希望する電圧を得るものである。本装置を応用することのより、電気の得られない場所で小電力を得ることができる。【特許請求の範囲】
【請求項１】
水面（海面）の変動により、水面に浮かせた装置内の振り子を振らせ、かつ、同振り子機構部に組み込まれたマグネット板を往復回転させる。マグネット板は、２個一対となった一組のコイルの間を通過し、その際に発生する誘導起電力を検出する。マグネット板には、ボタン型マグネットを使用し、Ｎ，Ｓの極性を相互に変えて数多く配列されている。これにより、往復回転運動が、連続回転運動と等価となる。
誘導起電力を検出するコイルは、マグネット板の両側に設置されたコイル板に数組配置され、振り子の僅かな動きでも効率よく起電力を検出して電気を得る装置。
【請求項２】
本装置を大、小の浮遊体に組み込み、浮遊体頭部の発光体を点滅させてその存在を自他共に知らしめることが可能な装置。かつ、本装置は、完全防水型の筐体で作られた浮遊体に組み込まれ、機構部への注油等が不要で、ブラシを使用していないため、メンテナンスフリーな装置。
【発明の詳細な説明】
【技術分野】
【０００１】  本発明は、本装置を主として大、小の浮遊体に組み込み、波の変動によって得られる起電力を利用して、浮遊体頭部に設置された光源を点燈する装置であるが、電気の得られない場所において、本装置を利用することにより、小電力を得ることが可能なシステムに関するものである。
【背景技術】
【０００２】  従来の波動式発電は、水流によって、タービンを原動力にしたもの、水圧によって水車を回転させるもの等、大型で、かつ、経済的にハードルの高いものが知られている。
【発明が解決しようとする課題】
【０００３】  現在は、航路標識用の大型ブイ、または、電波を利用した応答ブイ等、大型、高価なブイが存在するが、小型漁船、一般釣り人等への安価で、メンテナンスフリーなブイは、存在していない。
【課題を解決するための手段】
【０００４】  本発明は、僅かな波の動きから起電力を発生させるもので、従来のブイに使用している大型バッテリー等は一切使用しない。また、寿命のある光源は使用せず、半永久的なＬＥＤを使用するため、エコロジーに大きく寄与するものである。
【発明の効果】
【０００５】  従来のブイは、その形状、価格、メンテナンスの面で一般的に普及するものではなく、主に業務用として開発されているものが多い。
本発明による装置は、業務用のみならず、一般プレジャーボート所有者に対しても利用できるものである。
本装置を海中に投下する際、電源スイッチを“オン”にした時点から本装置頭部の発光体が点滅し、海中浮遊中は、自他共にその存在を知らしめることが出来る。
【実施例１】
【０００６】  図１は、数個のボタン型マグネット２が設置されたマグネット板１と、ギア機構部３を介して振り子４が接続されている。
図２は、マグネット板１とギア機構部３の側面図で、マグネット板１の内部にボタン型マグネット２が組み込まれている。また、マグネット板１は、ギア機構３の作用により、振り子４の動きよりも数倍の速さで左右に回転する。【０００７】図３，４は、起電力検出用コイル６とコイル板５の概略図を示す。【０００８】図５は、本装置を組み込んだ浮遊体の形状例を示したものである。【０００９】  図６は、一対の検出用コイル６とマグネット２の関係を示した基本電気回路である。振り子４が動作している時は、マグネット２の極性が入れ替わり、コイル６により起電力が検出される。
一対となった検出用コイル２は、直列に接続され、出力には２倍の起電力が現れる。【００１０】図７は、本装置内の発電回路のブロック図を示したものである。
一系統から検出された起電力は、整流回路、昇圧回路を介して高輝度ＬＥＤを使用した発光体を点滅させる。
また、数組のコイルから得られた起電力は、それぞれ整流後に重ねられ、安定した電圧が得ることができる。【００１１】  振り子作動中は、得られた電気で発光体７を点滅させると同時に、小型充電型バッテリーを常時充電し、全く振り子４の作動しないべた凪の状態では、内臓バッテリーにより発光体７を点滅させる。【００１２】  振り子４の動作を円滑化するため、本装置の底部にオモシ８を設け、本装置が、起き上がり小法師のような動きをするものである。
【図面の簡単な説明】
【００１３】
【図１】  本発明による装置内のマグネット板の概略図である。
【図２】  同マグネット板とギア機構部の側面図である。
【図３】  本発明による装置内のコイル板の側面図である。
【図４】  コイル板の位置関係の概要図である。
【図５】  本装置を内臓した浮遊体の例を示す。
【図６】  誘導起電力を検出する基本回路である。
【図７】  本装置の電気回路のブロック図である。
【符号の説明】
【００１４】１    マグネット板
２    ボタン型マグネット
３    ギア機構部
４    振り子
５    コイル板
６    コイル
７    発光体
８    オモシ
【図１】
2006304583.tif 000002
【図２】
2006304583.tif 000003
【図３】
2006304583.tif 000004
【図４】
2006304583.tif 000005
【図５】
2006304583.tif 000006
【図６】
2006304583.tif 000007
【図７】
2006304583.tif 000008
(57)【要約】      （修正有）【課題】従来のモーターは、構造が複雑で高度なる製造技術が必用であった。【解決手段】独立した制御装置より電磁石へ電気信号を送り、磁力化し、軸上の自然磁石の磁力と反応させ、軸の回転運動を取り出すようにしたことによって、幾つもの効果を発揮するが、これは全て結果としてえたものである。構造の単純化による生産性、回転効率、回転制御、熱効率、・・・リサイクル性にも優れる。【選択図】図１
2006304596.tif 000002
【特許請求の範囲】
【請求項１】
独立した制御装置より電磁石へ電気信号を送り、磁力化し、軸上の自然磁石の磁力と反応させ、軸の回転運動を取り出すモーター。
【発明の詳細な説明】
【技術分野】
【０００１】  本発明は、自然磁石の持てるエネルギーを回転運動として取り出す事を図ったモーターに関する。
【背景技術】
【０００２】  従来のモーターは、軸に電磁石を設け、電極を当て、電圧にて回転させるもの。又は、軸に自然磁石を置き電圧にて回転させるものが在った。
【発明の開示】
【発明が解決しようとする課題】
【０００３】  従来のモーターは、構造が複雑で高度なる製造技術が必用であった。【０００４】  本発明は、自然磁石の持てるエネルーギーを直接回転運動として取り出すことに寄り、このような従来の構成が有していた問題を解決するものである。【０００５】  そして、本発明は上記目的を達成するために独立した制御装置を設け、電磁石を外に置き、軸に自然磁石を置いたものである。【０００６】  上記の課題解決手段による作用は次の通りである。すなわち、独立した制御装置を設けることにより、電圧に寄らず電気信号になり、電磁石を外に置くことにより、構造が単純になり、軸に置いた自然磁石のエネルギーを直接回転運動として取り出すことができる。
【発明の効果】
【０００７】  上述したように本発明のモーターは、製造が簡単で回転効率の良いモーターを提供できる。【０００８】  また、電気信号に代えたことにより、コイル部の発熱を抑え、回転制御を容易に行えるという効果を発揮するものである。
［発明の実施するための最良の形態］【０００９】  以下、本発明の実施の形態を図１、図２に基づいて説明する。【００１０】  図においては、１は制御装置で２の電磁石へ送る電気信号の速度制御を行い、２の電磁石においてその電気信号を磁力化し、３の自然磁石の磁力と反応させ、軸の回転運動を取り出す。尚、制御装置はいかようにも創れるのでその内容を記さない。
【図面の簡単な説明】
【００１１】
【図１】  本発明の実施形態概略図
【図２】  軸上自然磁石と電磁石の概略位置図
【符号の説明】
【００１２】    １．制御装置
２．電磁石
３．自然磁石
４．軸
【図１】
2006304596.tif 000003
【図２】
2006304596.tif 000004
(57)【要約】【目的】めすの犬、猫、の発情期に装着して、円盤で生殖器を覆い隠し、交尾を妨げて避妊を図る。【構成】尻尾を通す穴を設けた円盤に、尻尾を通してその根元まで入れ、腰に巻きつけたベルトにセフティフックで連結して固定した円盤で、生殖器を覆い隠す。【選択図】図３
2006304794.tif 000002
【特許請求の範囲】
【請求項１】
発情期の期間、めす犬や、めす猫、に装着する、交接障害器（１）は、円盤（２）で、めす犬や、めす猫などの生殖器を覆い隠して、おす犬や、おす猫の交尾を妨げる、交接障害器（１）の円盤（２）は、中心に犬、猫の尻尾を通すための、尻尾より大口径の尻尾通し穴（３）が設けられている、この円盤（２）は、合成樹脂などでなり、軽く、汚れにくい素材を使用している、円盤（２）の前面（７）に、尻尾通し穴（３）の水平方向左右に、セフティフック（６）を保持する金具（４）がついている、この金具（４）には、セフティフック（６）のフレームより大口径の穴（５）があり、そこにセフティフック（６）はフレームを通してぶら下げられている、このセフティフック（６）はフレームの一部がバネによって開閉することを可能にしている、交接障害器（１）は、犬、猫、の後足の前でベルト（８）を腰に締めてなる、尻尾通し穴（３）に尻尾のつけ根に通した円盤（２）は、円盤（２）に付いているセフティフック（６）で犬猫の腰に締められたベルト（８）を通して連結することができる、以上を特徴とした交接障害器。
【請求項２】
円盤（２）に、おす犬や、おす猫、の嫌う臭いを付ける、或いは、臭いを発する装置をつけて、おす犬や、おす猫、を撃退する、交接障害器。
【発明の詳細な説明】
【発明の詳細な説明】
【技術分野】
【０００１】本発明は、発情期のめす犬や、めす猫、などに装着して、人の管理外での野放しの交尾を妨げる、避妊器具に関するものである。
【背景技術】
【０００２】従来、子犬や、子猫、などを産ませないようにするには、獣医師による不妊手術を施していた、しかし不妊手術を施すと、再び子犬や子猫を産ませることが出来なくなるなどで、躊躇する飼い主がいた、
【発明が解決しようとする課題】
【０００３】従来のように不妊手術を施すには、高額の手術費用が必要であった、また不妊手術を施さず放置したために、雑交配が増え、野良犬や野良猫が増える原因となった。
【０００４】本発明は，従来の技術の有するこのような問題点に鑑みてなされたものであり、その目的とするところは、不妊手術以外の選択肢としての、避妊を図る器具を提供しようとするものである。
【課題を解決するための手段】
【０００５】上記目的を達成するために、本発明の交接障害器においては、めす犬や、めす猫、の発情期に合わせて、この交接障害器を、めす犬や、めす猫、の体に装着しておくだけで、交尾が不可能となり結果、避妊することができる。
【０００６】これをめすの、犬や猫に装着するには、ベルトを犬、又は、猫の後ろ足の前で、お腹の下から腰の上に廻してバックルで締める、円盤の左右のセフティフックを水平にして前面から、円盤中央にある尻尾通し穴に、犬、猫、の尻尾を通して、尻尾の根元まで入れる、そして腰に巻いたベルトに円盤についている、セフティフックを連結してなる交接障害器。
【発明を実施するための最良の形態】
【０００７】上記のように構成された交接障害器は、めす犬や、めす猫、の発情期の期間だけこれを装着しておけばよい、そしてこの交接障害器は、これを取り付けられた、めす犬や、めす猫は、寝る、座る、餌を食べる、排泄する、走る、散歩をする、など普段通りの生活ができる。
【実施例】
【０００８】実施例について図面を参照して説明すると、図１において、円盤の中央に尻尾を通す穴があり、円盤前面の、尻尾を通す穴の水平方向左右に保持金具にぶら下げられた、セフティフックがついている、セフティフックは、フレームの１部がバネで開閉して、そこよりベルトを引っ掛けることができる。【０００９】図２において、円盤を尻尾のつけ根に固定するために、後ろ足の前でベルトが腰に巻いて締められている。
図３で示すように、尻尾のつけ根に入れられた円盤は、円盤についているセフティフックを腰に巻かれたベルトに連結されて固定され、円盤でめす犬や、めす猫の生殖器を覆い隠して、交尾を妨げる。
【発明の効果】
【００１０】本発明は、以上説明したように構成されているので、以下に記載されるような効果を奏する。
【００１１】交接障害器は、めすの犬、猫、の発情期の期間だけ取り付けておくだけで、犬、猫、は交尾できない。
【００１２】高額な不妊手術を施さなくても、避妊することができる。
【図面の簡単な説明】
【図１】交接障害器の斜視図。
【図２】交接障害器のベルトを、めすの、犬、猫、の腰に巻き締めた側面図。
【図３】交接障害器の円盤を犬、猫、の尻尾のつけ根に差し込んで円盤と、腰に巻いたベルトをセフティフックで連結した実施態様を示した側面図。
【符号の説明】
１    交接障害器
２    円盤
３    尻尾通し穴
４    セフティフックを保持する金具
５    セフティフックを保持する金具に設けられたセフティフックのフレームより大口径の穴
６    フレームの一部がバネによって開閉を可能にした、セフティフック
７    円盤前面
８    ベルト
９    バックル
【図１】
2006304794.tif 000003
【図２】
2006304794.tif 000004
【図３】
2006304794.tif 000005
(57)【要約】      （修正有）【課題】生竹粉末パウダ−の単品では飼料として価値の少ないものであるが、オカラと混和して、総合的に飼料効果を高める飼料の製造方法の提供。【解決手段】生竹微粉末パウダ−とオカラを混和し、好気性発酵菌であるバクテリアの介在のもと発酵することで、竹の繊維質のリグニン質が分解してセルロ−ズが分解吸収しやすくなる。又、オカラの中に含まれる未分解の植物性蛋白質がペプチド化し分解促進されて飼料として消化吸収されやすい発酵分解物を作ることができる。【選択図】なし【特許請求の範囲】
【請求項１】
粉末状の生竹パウダーとオカラを混和し、さらに好気性微生物を加えて混ねりし、醗酵分解することで、安全で消化吸収しやすい有用な飼料を製造する方法である。
【請求項２】
醗酵することで繊維を包むリグニンが分解しセルローズが消化分解しやすくなる。オカラも同様に醗酵することで繊維質は分解し消化しやすくなる。又未分解の植物性蛋白質がペプチド化し分子量が小さくなり消化吸収されて、飼料としての価値を高める。
【発明の詳細な説明】
【発明の詳細な説明】
【発明の属する技術方法】
【０００１】本発明は生竹微粉末パウダーとオカラを混和し、好気性醗酵菌の介在のもと醗酵することで、竹の繊維質とオカラの繊維質のリグニン質が分解してセルローズが分解吸収しやすくなる。又オカラの中に含まれる未分解の植物性蛋白質がペプチド化し分解促進されて飼料として消化吸収されやすい醗酵分解物を作ることが出来る。特に水分の調整と好気性醗酵分解によって腐敗も防止抑制される。
【背景技術】
【０００２】元来、笹竹等の枝葉は飼料として利用されているが、粉砕技術の向上によって、竹の幹部表皮などの硬質の繊維質部分も粉末化が可能になり、表皮の葉緑素や繊維質の硬質部分もバクテリアの分解力によって消化しやすい飼料とすることが出来た。好気性菌群の添加は繊維質の分解に、更にオカラの未分解植物蛋白質をペプチド化して、飼料の栄養価を高めることになった。
【発明が解決しようとする課題】
【０００３】したがって、微生物の醗酵分解作用によって、竹粉末とオカラが含む繊維素を分解して消化吸収しやすくなる。又オカラに含まれる粗蛋白質をペプチド化して消化吸収を高めるものである。
【課題を解決するための手段】
【０００４】バイオ液（微生物液）を加注し醗酵することで、水分調整・分解促進・臭気成分の分解がなされ、飼料として付加価値の高い製品とすることが出来る。
【発明の効果】
【０００５】生竹粉末パウダーの単品では飼料としては価値の少ないものであるが、オカラと混和し、微生物の分解作用によって難分解のセルローズ成分を分解吸収しやすくし、未分解蛋白質のペプチド化による低分子化で消化吸収も向上し、総合的に飼料効果を高めることが出来る。
(57)【要約】【目的】  色落ちした乾海苔を塩酸で加水分解したものを中和して濾過することによってアミノ酸や糖分を含むアミノ酸分解液を製造するものである。【構成】  乾海苔を塩酸で加水分解した後、水酸化ナトリウム、炭酸水素ナトリウム等のアルカリによりＰＨ４．５乃至６．５となるように中和し、その液を濾過して透明な一番搾りのアミノ酸分解液を製造する。また、アミノ酸分解液を搾った粕に再度加水して、二番搾りのアミノ酸液を搾ることを特徴としている。【特許請求の範囲】
【請求項１】
色落ちした乾海苔を塩酸で加水分解した後、水酸化ナトリウム、炭酸水素ナトリウム等のアルカリによりＰＨ４．５乃至６．５となるように中和した後、該中和した液を濾過して透明な濃褐色な一番搾りのアミノ酸液を搾ることを特徴とする乾海苔よりアミノ酸分解液の製造法。
【請求項２】
請求項１におけるアミノ酸液を搾った時に生じた粕に再度加水して撹拌し、その後濾過することによって二番搾りのアミノ酸液を搾ることを特徴とする請求項１の乾海苔よりアミノ酸分解液の製造法。
【発明の詳細な説明】
【技術分野】
【０００１】  本発明は、環境の変化等によって色が変色した商品価値の少ない乾海苔を塩酸で加水分解したものを中和して濾過することによってアミノ酸や糖分を含むアミノ酸分解液を製造する乾海苔よりアミノ酸分解液の製造法に関するものである。
【背景技術】
【０００２】  従来この種のアミノ酸分解液の製造法においては、大豆あるいは脱脂大豆を原料とする方法が、従来から多数報告研究されている現状である。
そして、従来の大豆あるいは脱脂大豆を原料とするアミノ酸分解液では、原料に残存する油脂からＭＣＰ（モノクロロプロドン）などの有害物質の生成が懸念されている現状である。
【発明の開示】
【発明が解決しよとうする課題】
【０００３】  解決しようとする問題は、海苔は海苔養殖場の環境の状態変化に起因する極端な栄養等の不足により、海苔の色素を充実しない、いわゆる「色落ち海苔」となり、乾燥した後も商品としての価値は非常に低く、市場価格が著しく低下する原因となっている。また、海苔養殖の盛んな地方においても毎年、この低位品位の海苔の対策に苦慮している現状である。
このため、この乾海苔の有効利用として、「海苔ゼリー」等のお菓子又は「海苔そうめん」等の麺類への利用が考えられている。
本発明は、今回、海苔の成分に着目して、海苔の有する豊富なタンパク質と、炭水化物を加水分解することにより、アミノ酸と糖分を含むアミノ酸分解液の製造法を提供することを目的としたものである。
【課題を解決するための手段】
【０００４】  本発明のアミノ酸分解液の製造法においては、色落ちした適宜の乾海苔を塩酸を以って加水分解した後に、水酸化ナトリウム、炭酸水素ナトリウム等のアルカリによりＰＨ４．５乃至６．５となるよう中和する。この中和した液を濾過して透明な濃褐色な一番搾りのアミノ酸液を得るものである。
また、アミノ酸液を搾った時に生じる粕に対して再度加水して撹拌し、その後濾過することにより二番搾りのアミノ酸液を搾るものである。
【発明の効果】
【０００５】  本発明は、以上説明したように構成されているので、従来の大豆あるいは脱脂大豆を原料としたアミノ酸分解液の如く、有害物質の生成が著しく少ないと云う効果と、従来の大豆由来のアミノ酸分解液と比べて見ると、著しく異なるアミノ酸の組成物となる効果がある。
そして、色落ちした低品位の海苔を呈味性の優れ、且つ保存性のある調味料として高度の利用が可能となる効果がある。また、このアミノ酸分解液は、そのままの液体調味料として使用が可能であると共に、乾燥して粉末調味料としての利用も可能となる効果もある。
更に、この調味料としての利用分野としてラーメン等のインスタント食品、冷凍うどんなどの冷凍食品、せんべい等の菓子類、そうめん等のめん類のつゆ、ドレッシング類等の加工食品にも使用できる効果もある。
また、このアミノ酸分解液は、海苔に由来するアミノ酸の外に多くの微量元素を含むために葉面散布あるいは施肥することにより植物の成長剤としても利用が可能である等の効果もある。
【発明を実施するための最良の形態】
【０００６】  本発明は、海苔をそのままか、あるいは適宜に粉砕して細かくした海苔を塩酸で加水分解する。その分解された原料に水酸化ナトリウム、炭酸水素ナトリウムのアルカリによりＰＨ４．５乃至６．５となるように中和した後に、中和した液を濾過して透明なアミノ酸液を搾ったものを液体調味料または乾燥して粉末調味料として各種に利用する。
更に、アミノ酸液を搾った粕に加水撹拌したものを再度濾過して二番搾りのアミノ酸液を搾ったものを各種に使用する。
【実施例１】
【０００７】  本発明の乾海苔よりアミノ酸分解液における海苔調味料の製造法においては、概略として３つの工程に分かれる。先ず、一番目の工程においては、色落ちした商品価値の少ない乾海苔を塩酸で加水分解するが、海苔はそのままの状態が、あるいは適宜の大きさに細かく粉砕したものを使用する。また、分解する原料は海苔単独でも可能であるが、大豆又は脱脂大豆等も任意の数量を混合することも可能となる。次に、加水分解に使用する塩酸の濃度は、塩酸と原料となる海苔との重量比の割合を以って混合し、適宜の温度と時間を以って加熱分解するものである。
次に、二番目の工程では、分解終了後に、水酸化ナトリウム、炭酸水素ナトリウム等のアルカリによって、ＰＨ４．５乃至６．５となるように中和する。
また、三番目の工程においては、中和された原料液の濾過を実施する。濾過は透明なアミノ酸液（一番搾り）が得られれば最良である。濾過は、通常の珪藻上、膜濾過および濾過用繊維の使用も可能である。
以上のようにして得られた透明な濃褐色なアミノ酸分解液（一番搾り）は、窒素、塩分および糖分を有し、良好な呈味性と原料に由来する海苔のような風味を有するものである。
【実施例２】
【０００８】  次に、前記第一番目乃至第三番目までの工程において、アミノ酸液を搾った際に生じた粕に再度加水した後に撹拌し、その後濾過することによって、アミノ酸液（二番搾り）を搾り再度の粕を生じるものである。【０００９】  本発明のアミノ酸分解によるアミノ酸液の製造工程の１実施例は、下記の図表のような結果となった。
酸分解によるアミノ酸液の製造工程
海苔（１．５ｋｇ）
↓←酸（塩酸）
分解
↓
中和←アルカリ（水酸化ナトリウム）
↓
濾過→アミノ酸液（一番搾り）１．３６ｌ
↓
粕
↓←加水
撹拌
↓
濾過→アミノ酸液（二番搾り）０．８８ｌ
↓
粕  １．５ｋｇ
(57)【要約】【課題】冷風乾燥装置での、しらすの均一乾燥。【解決手段】風向に変化を付け乾燥の均一化を図る。【選択図】図１
2006304758.tif 000002
【特許請求の範囲】
【請求項１】
冷風乾燥庫１において、冷気がしらす１１の表面だけでなく、それぞれの固体の隙間を通過するよう、風向８及び風向９と対角をなすラック５の通風口６と、通風口７の対称となる、それぞれの壁面を遮蔽することにより、風向を水平方向から上下方向に転換する流路形成を特徴とするラック５。
【請求項２】
冷風乾燥庫１において、差圧ファン３と差圧ファン４をラック５の通風口６及び通風口７と対角となる両側に対称に配置し、連続的に交互に作動させ、風向を転換させることにより、ラック５の流入出冷気の温度及び湿度の均等化を図ることを特徴とする風向制御方式。
【発明の詳細な説明】
【技術分野】
【０００１】食品の冷風乾燥
【背景技術】
【０００２】従来の冷風乾燥方法では空気の流れが、食品に対し水平及び一方向のみで、特にしらすにおいては表面と冷気流入側に位置する固体の乾燥が進み、内部に位置する固体の乾燥が遅れることによる乾燥むらが著しく、現状では冷風乾燥装置での乾燥は皆無である。
【発明が解決しようとする課題】
【０００３】冷風乾燥装置での、しらすの均一乾燥。
【課題を解決しようとする手段】
【０００４】風向に変化を付け乾燥の均一化を図る。
【発明を実施するための最良の形態】
【０００５】除湿機２、差圧ファン３及び差圧ファン４を備えた冷風乾燥庫１において、風向８、風向９と対角をなすラック５の壁面に通風口６、通風口７を設け、それぞれの通風口の対称となる壁面を遮蔽することにより差圧ファン３を作動、差圧ファン４を停止した場合、冷気は通風口７より入り、通気性のある容器１０に配したしらす１１の隙間を上下に通過し、通風口６より出る、差圧ファン４を作動、差圧ファン３を停止した場合は空気の出入りは逆方向となる、よって風向８と９の上下変化により、しらす１１個々に冷気を接触させ内部に位置する固体の乾燥の遅れを防止すると共に、差圧ファンを交互に作動させ、風向を転換することにより、ラック５での通風口６と通風口７での流入出冷気の温度及び湿度が均等化し、乾燥むらを防止することができ、乾燥の均一化が図れる。
【発明の効果】
【０００６】冷風乾燥機で高品質のしらすの乾燥製品ができる。
【図面の簡単な説明】
【図１】「乾燥庫の平面、及び断面図である」
【符号の説明】
１                冷風乾燥庫
２                除湿機
３                差圧ファン
４                差圧ファン
５                ラック
６                通風口
７                通風口
８                風向
９                風向
１０                容器
１１                しらす
【図１】
2006304758.tif 000003
(57)【要約】【課題】  穀類及び豆類の屑、その精選残渣、加工残渣を培地として使用し、特にβーグルコンその他薬効成分を多量に含むきのこの菌糸体を養殖し、これを動物用栄養補助飼料にする。【解決手段】  穀類及び豆類のサイロ屑、その殻や茎を含む精選残渣、その食品加工時に生ずる加工残渣等よりなる培地に水分を加えて滅菌し、きのこ種菌を接種して合成樹脂袋に収容し、時折袋ごと培地を揉みほぐしながら袋内に菌糸を蔓延させ、菌糸が十分蔓延した培地を袋から取出して温風乾燥し、これを粉砕して製品とする。【選択図】  なし【特許請求の範囲】
【請求項１】
きのこ培地を滅菌し、これに種菌を接種して培養し、上記培地中に菌糸が十分蔓延した後にこれを乾燥して粉砕することを特徴とする動物用栄養補助飼料の製造方法。
【請求項２】
上記きのこ培地は、穀類、豆類のサイロ残渣、精選残渣または加工残渣のうちの少なくとも一種類を含有することを特徴とする請求項１記載の動物用栄養補助飼料の製造方法。
【請求項３】
上記種菌を接種した培地を合成樹脂製の袋に収容し、密閉して培養することを特徴とする請求項１または請求項２記載の動物用栄養補助飼料の製造方法。
【請求項４】
上記培養中の接種培地を、これを収容している袋ごと随時揉みほぐすことを特徴とする請求項３記載の動物用栄養補助飼料の製造方法。
【発明の詳細な説明】
【技術分野】
【０００１】
本発明は、愛玩動物、養殖動物、養殖魚類などの健康維持に貢献する栄養補助飼料、即ちサプリメントの製造方法にかかり、特に有用きのこの菌糸体を用いたサプリメントに関するものである。
【背景技術】
【０００２】
きのこ類が健康に有用な成分を多く含んでいることが知られており、例えば血中のコレステロール値の引下げ、血圧の降下、血小板の凝集作用の制御、抗酸化、肝障害抑制、免疫賦活、抗腫瘍等の有益な作用があるとされている。特に人用のサプリメントとして用いられているマンネンタケ、メシマコブ等は、βーグルカンを中心とする多糖類を多量に含み、顕著な免疫賦活、抗腫瘍作用、抗酸化作用、コレステロール値の引下げ、血糖値引下げ等の薬効があるとされている。
【０００３】
一方、これらきのこ類の栽培基材である広葉樹の原木や大鋸屑は、林業従事者の減少と森林資源の減少とによって、価格が上昇すると共に、良質の基材の安定確保が困難となりつつある。
【０００４】
そのために、最近では食品リサイクル法の施行によって産業廃棄物として処分が義務づけられているコーヒー渣、穀物や豆類のサイロ残渣、精選残渣や加工後の残渣などの有効利用が研究されている。
【発明の開示】
【発明が解決しようとする課題】
【０００５】
従って本発明は、上述の産業廃棄物として処理せざるを得なかった穀類、豆類のサイロ残渣や加工残渣などを有効に利用して培地を作り、これに有用きのこ類を増殖させ、これを培地ごと愛玩動物、養殖動物、養殖魚類などのサプリメントとして利用するものである。
【課題を解決するための手段】
【０００６】
本発明は、穀類、豆類のサイロ残渣、精選残渣や加工残渣などを含む培地に種菌を接種して培養し、培地中に菌糸が十分に蔓延した後にこれを乾燥して粉砕し、そのまま或いは適宜栄養物質を加え、必要に応じてペレット状に成形して商品とする。
【０００７】
上述の、穀類及び豆類としては、とうもろこし、マイロ、大麦、小麦、はだか麦。ライ麦、エン麦、米、そば、大豆等が使用可能であり、そのサイロ残渣、破砕物や穀や茎などの夾雑物が混入した精選残渣、及び醤油粕、酒類粕、製餡渣、おから、コーヒー渣、カカオ豆渣も利用することができ、これらはきのこの栄養分の含有量に応じて適宜配合することが望ましい。
【発明の効果】
【０００８】
以上のように、本発明は枯渇しつつある森林資源を使用せず、産業廃棄物として処理せざるを得ない未利用物を培地として使用するものであるから、環境問題に貢献する。そしてその製品は、有用きのこを同様に健康上有益であることに加え、きのこの子実体と較べて格段と安価に生産することができる。
【発明を実施するための最良の形態】
【０００９】
調整した培地に適量の水を加えて攪拌し、これを合成樹脂製のきのこ栽培袋に充填し、加熱殺菌する。冷却後、培地にきのこ種菌を接種して袋を密閉し、適温の培養室で菌を培養する。培養の途中で、培地を袋ごと手で揉みほぐし、菌糸に空気を行渡らせると共に増殖の均一化を計る。培地全体に菌糸が蔓延したら、袋を開いて培地を取出し、十分乾燥して細かく粉砕し、製品とする。
【実施例】
【００１０】
培地基材として、体積比でマイロ：大麦：大豆皮及びコーンコブ（とうもろこし芯）を２：１：１で配合する。大豆皮及びコーンコブは、基材の保水性を高めるために添加し、直径５mm程度に粉砕したものを使用する。この配合物に全体の５０％に相当する量の水を加えてよく攪拌しこれを５００ｇづつ容量１リットルのきのこ栽培袋に充填して密封し、オートクレーブに袋ごと収容して１２０℃、１．１気圧で１時間の加熱滅菌を行う。
【００１１】
オートクレーブより取出した袋入り培地を１晩放冷し、培地の温度が内部まで室温に下ったことを確認したら、（財）日本きのこセンター保有のマンネンタケ５００４０株を接種し、２２℃、湿度８８％、暗黒の培養室内で培養する。培養の途中、随時袋ごと培地をもみほぐし、内部に空気を与えて菌糸の伸長を促進させ、菌糸体量の増量を図る。
【００１２】
接種から１４〜２１日程度で培地全体に菌糸が蔓延したら、袋口を開き、手で出来るだけ小さく砕き、４５℃の温風乾燥機内で２晩乾燥させ、乾燥後に粉砕機により粉状になるまで粉砕して、サプリメントを完成する。
【００１３】
上述のサプリメントを分析した結果、１ｇ当り７６．９５ｍｇの菌糸体量を含むことが判った。この菌糸体は、多量のβーグルカンを含有していて薬効が大きく、しかも子実体を用いる場合に較べて格段と安価に生産することができる。
【産業上の利用可能性】
【００１４】
上述の粉状サプリメントは、通常の飼料栄養物を配合してペレット状に成形して、犬や猫などの愛玩動物の配合飼料を造ることができる。そして、使用するきのこ類としては、実施例のマンネンタケに限定されず、各種の有用きのこ類にも実施することができ、対象動物は牧畜動物、家禽、養殖魚類等、特に制限は存在しない。
(57)【要約】【課題】  容器の底にトラップを設けてネズミの手のとどかない所に薄紙を設け、その上にエサを撒きネズミをおびき寄せて、紙の上のエサに向ってネズミが飛込み、薄紙が破けて底に設けたトラップにかかるようにした、ネズミの駆除具を提供する。【解決手段】  容器の底にトラップを設けてネズミの手のとどかない所に薄紙を設け、その上にエサを撒きネズミをおびき寄せて、紙の上のエサに向ってネズミが飛び込み、薄紙が破けて底に設けたトラップに、以上を特徴とする落差を利用した駆除具。【選択図】  図１
2006304749.tif 000002
【特許請求の範囲】
【請求項１】
底部にネズミを駆除するためのトラップを備えることができるように形成した容器と、この容器の上縁からネズミがエサにとどかない高さに設けた留め具と、この留め具架設され、トラップを隠しながらエサを乗せるための薄紙とからなることを特徴とするネズミの駆除具。
【請求項２】
容器周壁の下辺部の一部と折り曲げ可能に接合した底板と該底板を容器内側に折り畳んだ状態で、前記容器周壁を平に折り畳むことができる部位にヒンジ部を設けたことを特徴とする請求項１記載のネズミの駆除具。
【発明の詳細な説明】
【技術分野】
【０００１】  本発明は、容器の底にトラップを設け、ネズミの手のとどかない所に薄紙を設けて、その上にエサを撒きネズミをおびき寄せて、紙の上のエサに向ってネズミが飛込み、薄紙が破けて底に設けたトラップにかかるようにした、ネズミの駆除具に関するものである。
【背景技術】
【０００２】  従来、強力なねんちゃくシートや容器の中のエサを取った瞬間に入口が閉まる物や、入口が逆止弁で簡単に入ることができるが容易に出ることができないネズミ駆除具があった。
【発明の開示】
【発明が解決しようとする課題】
【０００３】  これらには以下のような欠点があった。
学習能力があり運動神経の高いネズミでは強力なねんちゃくシートをただ置くだけでは簡単に飛び越えてしまったり、避けてしまい捕獲率が極めて低く、エサを取った瞬間に閉まる物や入口が逆止弁の物は、エサだけ物って出られたりあるいは入口が狭く逃げ道が無いために警戒されることがある。
【課題を解決するための手段】
【０００４】  底部にネズミを駆除するためのトラップを備えることができるように形成した容器と、この容器の上縁からネズミのとどかない高さに設けた留め具と、この留め具に架設され、トラップを隠しながら乗せるための薄紙とからなることを特徴とするネズミの駆除具。
【発明の効果】
【０００５】  ネズミがエサを取るのに薄紙の上に乗るしかなく、ネズミが薄紙を調べるにも容器の中に入いらないとできないため、薄紙が破けて底に設けたトラップにかかるため確実に保獲できる。
薄紙の高さが容器の底部に見えるためネズミが簡単に出られると思い込ませることができる。
容器にヒンジ部を設けたため平に折り畳むことができるようにしたため収納や持ち運びに便利な駆除具。
【発明を実施するための最良の形態】
【０００６】  本発明の実施の形態について説明する。
（イ）直方形状の容器（１）の底に強力な粘着シート（３）の穴（８）に各８箇所に留め具（５）を通して敷設して、さらに少なくても容器（１）の上縁から１０ｃｍ以上低い位置でネズミ（７）のとどかない高さに軟質アルミからなる留め具（４）を対向する短辺の側壁内側に、各２個設ける。
（ロ）容器（１）の開口部と同形状の薄紙（２）の両短辺側に留め具（４）を引っ掛けるための引っ掛け穴（９）を２個設け、留め具（４）に架ける。
本発明は以上の構成よりなっている。
これを使用するときは、薄紙（２）を留め具（４）に掛け薄紙（２）の上にエサ（６）を撒きネズミ（７）をおびき寄せる。
【実施例１】
【０００７】  次に、図４、図５を参照しながら実施例１の形態について説明する。
（イ）直方形状の容器（１０）は、底板（１３）の長辺片側がヒンジ部（１４）を介して周壁（１２）に接合し、残り３辺は周壁（１２）に分離する。
（ロ）周壁（１２）の４角はヒンジ（１１）によって折り曲げ可能に形成する。
その他構成については、上記の実施の形態と同じである。
【図面の簡単な説明】
【０００８】
【図１】  本発明の一部切り取り斜祖図である。
【図２】  薄紙の留め具（４）の拡大図である。
【図３】  本発明における粘着シート取付前の状態を示した分解斜線図である。
【図４】  本発明の実施例１の折り畳み途中経過図の斜祖図である。
【図５】  本発明における容器内側に折り畳んだ底板と該底板を底まで下ろす途中経過の説明図である。
【符号の説明】
【０００９】  １  容器
２  薄紙
３  粘着シート
４  留め具
５  留め具
６  エサ
７  ネズミ
８  穴
９  引っ掛け穴
１０  容器
１１  ヒンシ部
１２  周壁
１３  底板
１４  ヒンシ部
【図１】
2006304749.tif 000003
【図２】
2006304749.tif 000004
【図３】
2006304749.tif 000005
【図４】
2006304749.tif 000006
【図５】
2006304749.tif 000007
(57)【要約】【課題】  裁断した天然果物を冷凍して天然果物組織を破壊し、解凍後、お酢を添加し、真空状態で天然果物成分をお酢に浸透させ、ミキサー等で粉砕し圧搾機で絞りだし混合液にした、天然果物の果汁とお酢の混合液を提供する。【解決手段】  ３００グラム未満の天然果物を裁断し、その天然果物を水１リットルに対して３％未満の食塩水に浸し、よく水気を取ったのち、袋等に詰め冷凍して天然果物組織を破壊し、その後、その袋等を解凍して、お酢を４５ｃｃ未満添加し、その袋等を真空状態にして、天然果物成分をお酢に浸透させ、その後ミキサー等で粉砕し圧搾機で絞りだし、混合液にしたことを特徴とする天然果物の果汁とお酢の混合液。【選択図】  図１
2006304748.tif 000002
【特許請求の範囲】
【請求項１】
３００グラム未満の天然果物を裁断し、その天然果物を水１リットルに対して３％未満の食塩水に浸し、よく水気を取ったのち、袋等に詰め冷凍して天然果物組織を破壊し、その後、その袋等を解凍して、お酢を４５ｃｃ未満添加し、その袋等を真空状態にして、天然果物成分をお酢に浸透させ、その後ミキサー等で粉砕し圧搾機で絞りだし、混合液にしたことを特徴とする天然果物の果汁とお酢の混合液。
【発明の詳細な説明】
【技術分野】
【０００１】  本発明は、裁断した天然果物を冷凍して天然果物組織を破壊し、解凍後、お酢を添加し、真空状態で天然果物成分をお酢に浸透させ、ミキサー等で粉砕し圧搾機で絞りだし混合液にした、天然果物の果汁とお酢の混合液に関するものである。
【背景技術】
【０００２】  従来は、天然果物を切断し、大量のお酢に果物を漬けて、その果物の成分を、お酢に浸透させ、そのお酢を好みの量採り、水等を加えて飲用していた。
【発明の開示】
【発明が解決しようとする課題】
【０００３】  そのために、次のような欠点があった。
（イ）お酢に天然果物の成分を十分に浸透させることができなかった。
（ロ）お酢独特の強い酸味を抑えるため、甘味料などを添加し、天然果物の果汁本来の味覚を損なっていた。
本発明は、これらの問題点を解決するためになされたものである。
【課題を解決しようとする手段】
【０００４】  ３００グラム未満の天然果物を裁断し、その天然果物を水１リットルに対して３％未満の食塩水に浸し、よく水気を取ったのち、袋等に詰め冷凍して天然果物組織を破壊し、その後、その袋等を解凍して、お酢を４５ｃｃ未満添加し、その袋等を真空状態にして、天然果物成分をお酢に浸透させ、その後ミキサー等で粉砕し圧搾機で絞りだし、混合液にする。以上を特徴とする天然果物の果汁とお酢の混合液である。
【発明の効果】
【０００５】  本発明を使用することによって、天然果物組織を破壊し真空状態で天然果物成分をお酢に浸透させため、甘味料などを添加することなく、お酢独特の強い酸味を抑えられ、混合液にしても、天然果物の果汁本来の味覚を得ることができる。
【発明を実施するための最良の形態】
【０００６】以下、本発明の実施例について説明する。
（イ）３００グラム未満のオレンジ（２）を裁断し、そのオレンジ（２）を水１リットルに対して３％未満の食塩水に浸し、よく水気を取る。
（ロ）そのオレンジ（２）を袋（１）等に詰め冷凍しオレンジ（２）組織を破壊する
（ハ）その後、その袋（１）等を解凍して、お酢（３）を４５ｃｃ未満添加し、その袋（１）等を真空装置を用い真空状態（４）にして、オレンジ（２）成分をお酢（３）に浸透させる。
（ニ）その後ミキサー等で粉砕し圧搾機で絞りだし、混合液にする。
本発明は以上のような構造より、これを使用する時は、混合液をそのまま飲用しても、また同類の天然果物の果汁を加えて飲用してもよい。
本発明の実施の形態では、オレンジ（２）を例に説明したが、りんご、グレープフルーツ、パイナップル等のその他の天然果物でも同様に製造できる。
また、本発明の実施の形態では、飲用を例に説明したが、その混合液を濃縮し二次利用も可能である。
また、本発明の実施の形態では、真空状態（４）を袋（１）等を例に説明したが、真空容器等でも同様に製造できる。
【図面の簡単な説明】
【図１】本発明の斜視図
【図２】本発明の図１のＡ−Ａを示す断面図
【図３】本発明の製造工程を示すフローチャート図
【符号の説明】
１  袋
２  オレンジ
３  お酢
４  真空状態
【図１】
2006304748.tif 000003
【図２】
2006304748.tif 000004
【図３】
2006304748.tif 000005